(57)【要約】      （修正有）【課題】身飾品と台座部の位置決め精度が高く、着脱の方向が揃えられて着脱操作が容易になる身飾品の留め具を提供する。【解決手段】身飾品は、台座部２に設けられる刺し込み部を係止する楕円形状の係止用凹部を有し、台座部２は、楕円形状をなす楕円部２４を介して先端が外周方向に形成される刺し込み部が弾性力を働くように有し、身飾品の留め具を装着する素材に刺し込み部の先端から刺し込み、刺し込み部の楕円部２４を身飾品の楕円形状の係止用凹部に、楕円形状の刺し込み部の楕円長軸方向又は楕円短軸方向に移動させて係止させる。【選択図】図２
0003204895.tif 000002
【実用新案登録請求の範囲】
【請求項１】
ボタン、カフスボタン、バッチ、ブローチやアクセサリー等の身飾品を衣類、カバン類や帽子類等の素材に着脱自在に取り付ける身飾品の留め具であって、
前記身飾品は、台座部に設けられる刺し込み部を係止する楕円形状の係止用凹部を有し、前記台座部は、楕円形状をなす楕円部を介して先端が外周方向に形成される刺し込み部が弾性力を働くように有し、前記身飾品の留め具を装着する素材に前記刺し込み部の先端から刺し込み、刺し込み部の楕円部を前記身飾品の楕円形状の係止用凹部に、楕円形状の刺し込み部の楕円長軸方向又は楕円短軸方向に移動させて係止させることを特徴とする身飾品の留め具。
【請求項２】
前記身飾品の係止用凹部は、その楕円形状の内部に前記台座部の刺し込み部が係合する島形の係止部が設けられ、前記刺し込み部の中央連結部が台座部の中心になるように前記係止部に係止されることを特徴とする請求項１記載の身飾品の留め具。
【請求項３】
前記島形の止部がハート型であり、このハート型の中心の溝が前記身飾品の係止用凹部の楕円形状の中心部に一致することを特徴とする請求項２記載の身飾品の留め具。
【請求項４】
前記身飾品の係止用凹部の端面において、凹部底面の端部が上面の端部よりも身飾品外周側に位置し、係止用凹部内壁が外周側に傾斜して形成され、この外周側の傾斜に沿って刺し込み部の楕円長軸方向又は楕円短軸方向の弾性力を働かさせて係止させることを特徴とする請求項１又は２記載の身飾品の留め具。
【請求項５】
前記身飾品の係止用凹部の上面端部に庇し部が形成され、この庇し部に沿って刺し込み部の楕円長軸方向又は楕円短軸方向の弾性力を働かさせて係止させることを特徴とする請求項１又は２記載の身飾品の留め具。
【請求項６】
前記台座部の刺し込み部に指で押さえて所定方向に押し込みやすくするタブ部が折り曲げて形成されていることを特徴とする請求項１又は２記載の身飾品の留め具。
【考案の詳細な説明】
【技術分野】
【０００１】
本考案は、ボタン、カフスボタン、バッチ、ブローチ、アクセサリー等の身飾品を衣類、カバン類、帽子類などの素材に位置精度よく、方向を揃えて、着脱自在に取り付ける身飾品の留め具に関する。
【背景技術】
【０００２】
従来、ボタンは衣類や鞄、靴、カーテン等の布地や革地を重ね合わせて留める留め具として使用されている。また最近では飾りボタンのようにアクセサリーやキーホルダー、小物入れ、写真立て、クッション等、装飾目的でボタンを使用する人が増え、それに従って、水牛、ナット、貝、木、革、プラスチック、金属等の素材やハート型、星型、正方形型等の様々な種類のボタンが販売されている。
ボタンをつけるには、針と糸を用いて、平行縫いやクロス縫い、鳥足縫い等の縫い方で衣類等の所定箇所に外れないように縫いつける。しかし、ボタンを衣類等に縫いつけるには時間がかかるうえ、外出先でボタンが外れた場合には、再度ボタンを縫い付けるために、裁縫道具が必要となり、手間と労力が必要となってしまう。また、飾りボタンのようにアクセサリー感覚でボタンを取り替えたい場合、簡単かつ迅速に取り外し、取り付けられることが重要であるが、針と糸を用いたボタンの付け方では、取り外し、取り付けに時間がかかり、またボタンを取り替えるたびに何度も生地に針を通す必要があるため、取り付ける生地を傷めてしまう可能性がある。
【０００３】
そこで、本出願人は、ボタン等身飾品を簡単、かつ迅速に着脱可能とする身飾品の留め具を既に提案している（特許文献１）。
しかしながら、上記特許文献１の留め具は、安全で、着脱が簡単であるという特徴を有しているものの、円弧形状の刺し込み部と該刺し込み部を係止する凹部という構造で形成されているため、係合に遊動範囲があり、ボタン等身飾品の衣類への取付け位置を精度良く決められないことと、また、円形状による係合であるため３６０度係合可能であり、衣類に取り付ける際に、ボタン等身飾品のデザインに方向性がある場合、方向を規定できず、このため、身飾品に対する台座部の刺し込み部の着脱がスムーズにお行なえないという課題があった。
【先行技術文献】
【特許文献】
【０００４】
【特許文献１】実用新案登録第３１９４３１８号公報
【考案の概要】
【考案が解決しようとする課題】
【０００５】
そこで本考案の目的は、ボタン等の身飾品を衣類等の素材に、身飾品と台座部の位置決め精度が高く、着脱の方向が揃えられて着脱操作が容易になる身飾品の留め具を提供することにある。
【課題を解決するための手段】
【０００６】
本考案の身飾品の留め具は、ボタン、カフスボタン、バッチ、ブローチ、アクセサリー等の身飾品を衣類、カバン類、帽子類等の素材に着脱自在に取り付ける身飾品の留め具であって、前記身飾品は、台座部に設けられる刺し込み部を係止する楕円形状の係止用凹部を有し、前記台座部は、楕円形状をなす楕円部を介して先端が外周方向に形成される刺し込み部を有し、身飾品の留め具を装着する素材に前記刺し込み部の先端から刺し込み、刺し込み部の楕円部を前記身飾品の楕円形状の係止用凹部に、刺し込み部の楕円長軸方向又は楕円短軸方向の弾性力を働かさせて係止させることを特徴とする。
本考案としては、前記台座部は、台座部の下部に設けられる留め具台座部と、台座部の刺し込み部を有し、台座部の刺し込み部は、留め具台座部に立設される刺し込み部の中央連結部と、刺し込み部の中央連結部の上方先端から曲げられて楕円形状をなす楕円部と、前記楕円部の外周にその先端が先鋭な先端部を有することが好ましい。
【０００７】
本考案においては、身飾品の係止用凹部と台座部上部の刺し込み部が楕円形状で係合しているため、身飾品と台座部の位置決め精度が高く、着脱の方向が揃えられて着脱操作が容易になる。また、前記台座部に前記身飾品を装着する際に、前記台座部の刺し込み部の楕円部が楕円長軸方向又は楕円短径方向に弾性収縮し、身飾品の係止用凹部に係止し、係止後は楕円部が係止用凹部の内壁を押圧するので、身飾品は台座部から外れ難い構造となる。
【０００８】
本考案としては、身飾品の係止用凹部と台座部上部の刺し込み部が楕円形状で係合しているため、身飾品と台座部の位置決め精度が高い。台座部において留め具台座部の楕円中心と刺し込み部楕円部の中心が一致しており、かつ身飾品の係止用凹部の楕円の中心が身飾品の中心と一致しておれば、台座部の中心の位置に身飾品の中心を一致させて取り付けることを特徴とする。また、身飾品の表面に模様等方向性のあるデザインが施されている場合、前記デザインの方向と一致させて身飾品の係止用凹部を形成することで方向を一致させることが可能となる。複数の身飾品を取り付ける場合に、デザインの方向を一致させるのに好適である。
【０００９】
本考案としては、前記身飾品の係止用凹部は、その楕円形状の内部に前記台座部の刺し込み部が係合する係止部が設けられ、前記刺し込み部の中央連結部が台座部の中心になるように前記係止部に係止される。すなわち、前記身飾品の係止用凹部が、楕円形状の内部に島状の凸部（係止部）あるいは楕円外周から突出した凸部（係止部）を有し、前記島形係止部あるいは突出部に挟まれた凹部と前記台座部の刺し込み部の中央連結部が係合することにより、身飾品と台座部の中心が精度良く一致する。
本考案においては、前記台座部の刺し込み部の直線部を係止部で挟み込んだ係合構造のため、台座部の中心位置が完全に固定され、身飾品の中心と台座部の中心が精度良く一致する。
また、前記係止用凹部の内壁を前記楕円部が押圧し、かつ、直線部が係止部の間の凹部に埋設し、直線部が係止部の内壁を押圧し、前記台座部と前記身飾品を固定しているため、台座部はさらに外れ難いことを特徴とする。
【００１０】
本考案としては、身飾品の係止用凹部の内壁が外周側に傾斜して形成され、この外周側の傾斜に沿って刺し込み部の楕円長軸方向又は楕円短軸方向の弾性力を働かさせて係止させることを特徴とする。また、係止用凹部の端部に庇し部が形成され、この庇し部に沿って刺し込み部の楕円長軸方向又は楕円短軸方向の弾性力を働かさせて係止させることを特徴とする。これらにより台座部の刺し込み部が前記係止用凹部から外れ難くなり、また、これらに沿って、刺し込み部の楕円長軸方向又は楕円短軸方向への挿脱が容易になる。
【００１１】
本考案は、身飾品の素材への取り付け強度が求められる用途に用いるのに好適である。
本考案の前記台座部は前記素材（衣類等）から着脱可能である。衣類等の適当な箇所に取り付け、取り外しが可能となる。
【００１２】
本考案の前記身飾品は前記台座部から着脱可能である。
身飾品の着脱作業が簡単であるため、１つの台座部に対して複数種類の身飾品を取り替えることが可能で、自由自在に取り替えることができる。なお、本考案の前記台座部は弾性体であることが好ましい。
【００１３】
本考案は、前記島形係止部がハート型であり、このハート型の中心の溝が前記身飾品の係止用凹部の楕円形状の中心部に一致することを特徴とする。
本考案によれば、中心が定まるので高い位置合せ精度を発現できるが、その位置合わせの着脱操作が容易になる。
【考案の効果】
【００１４】
本考案によれば身飾品の係止用凹部と台座部上部の刺し込み部が楕円形状で係合しているため、身飾品と台座部の位置決め精度が高く、着脱の方向が揃えられて着脱操作が容易になる。ボタン等の身飾品を衣類等の素材に、ボタンの中心を揃えて、位置精度を向上させて取り付けることができる。また、ボタンあるいはバッチ等でデザインの方向性があるものに関しては、方向を揃える、あるいは、デザイン意図に沿って方向を決めて取り付けることが可能となる。そして、留め具台座部の楕円中心と刺し込み部楕円部の中心が一致しており、かつ身飾品の係止用凹部の楕円の中心が身飾品の中心と一致しておれば、台座部の中心の位置に身飾品の中心を一致させ取り付け取り外しが可能である
【図面の簡単な説明】
【００１５】
【図１】本考案の第１の実施形態の身飾品の留め具を示す斜視図である。
【図２】第１および第３から５の実施形態の台座部２を示す図であり、（ａ）は台座部２を示す斜視図であり、（ｂ）は台座部２を上から見た平面図である。
【図３】第１の実施形態の身飾品１を示す図であり、（ａ）は身飾品１を示す斜視図であり、（ｂ）は身飾品１を下から見た底面図であり、（ｃ）は（ｂ）のＡ−Ａ、Ｂ−Ｂ断面図である。
【図４】第１の実施形態のボタンをつける素材３（衣類等）に台座部２を取り付ける状態を示す平面図であり、（ａ）は先端部２５を素材３に刺し込んだ状態を示す平面図であり、（ｂ）は楕円部２４が素材３の表面に出てきた状態を示す平面図であり、（ｃ）は台座部２を素材３に取り付けた後の状態を示す平面図である。
【図５】第１の実施形態の台座部２に身飾品１を取り付ける第１の方法を下から見た底面図であり、（ａ）は台座部２に身飾品１を取り付ける前の状態を示す底面図であり、（ｂ）は台座部２に身飾品１を取り付ける途中の状態を示す底面図であり、（ｃ）は台座部２に身飾品１を取り付けた後の状態を示す底面図である。
【図６】第１の実施形態の台座部２に身飾品１を取り付ける第２の方法を下から見た底面図であり、（ａ）は台座部２に身飾品１を取り付ける前の状態を示す底面図であり、（ｂ）は台座部２に身飾品１を取り付ける途中の状態を示す底面図であり、（ｃ）は台座部２に身飾品１を取り付けた後の状態を示す底面図である。
【図７】第２の実施形態の台座部５を示す図であり、（ａ）は台座部５を示す斜視図であり、（ｂ）は台座部５を上から見た平面図である。
【図８】第２の実施形態の身飾品４を示す図であり、（ａ）は身飾品４を示す斜視図であり、（ｂ）は身飾品４を下から見た底面図であり、（ｃ）は（ｂ）のＡ−Ａ、Ｂ−Ｂ、Ｃ−Ｃ断面図である。
【図９】第２の実施形態の台座部５に身飾品４を取り付ける状態を下から見た底面図であり、（ａ）は台座部５に身飾品４を取り付ける前の状態を示す底面図であり、（ｂ）（ｃ）は台座部５に身飾品４を取り付ける途中の状態を示す底面図であり、（ｄ）は台座部５に身飾品４を取り付けた後の状態を示す底面図である。
【図１０】第３の実施形態の身飾品６を示す図であり、（ａ）は身飾品６を示す斜視図であり、（ｂ）は身飾品６を下から見た底面図であり、（ｃ）は（ｂ）のＡ−Ａ、Ｂ−Ｂ断面図である。
【図１１】第３の実施形態の台座部２に身飾品を取り付ける状態を下から見た底面図であり、（ａ）は台座部２に身飾品を取り付ける途中の状態を示す底面図であり、（ｂ）は台座部２に身飾品６を取り付けた後の状態を示す底面図である。
【図１２】第４の実施形態の身飾品を示す図であり、（ａ）は身飾品を下から見た内部構造を透視した底面図であり、（ｂ）は（ａ）のＡ−Ａ、Ｂ−Ｂ断面図である。
【図１３】第５の実施形態の身飾品８を示す図であり、（ａ）は身飾品を下から見た内部構造を透視した底面図であり、（ｂ）は（ａ）のＡ−Ａ、Ｂ−Ｂ断面図である。
【考案を実施するための形態】
【００１６】
以下、本考案を実施するための形態について図面を引用しながら説明する。
【００１７】
（第１の実施形態）
図１は、本考案の第１の実施形態の身飾品の留め具１０を示す斜視図であり、図２は、本考案の第１の実施形態の台座部２を示す図であり、（ａ）は台座部２を示す斜視図であり、（ｂ）は台座部２を上から見た平面図である。
【００１８】
本実施形態の身飾品の留め具１０は、身飾品１と台座部２を有しており、ボタンをつける素材３（衣類等）に台座部２を取り付け、身飾品１を台座部２の楕円部２４を押圧して取り付け、取り外しすることにより、身飾品１を簡単、迅速に着脱するものである。
【００１９】
前記台座部２は、底面が半球状で、表面が平面状をなす留め具台座部２１と、前記留め具台座部２１の表面中心から垂直上方に配された刺し込み部の中央連結部２２と、刺し込み部の中央連結部２２の上方先端に連結された刺し込み部上部２ａからなる。前記刺し込み部上部２ａは、刺し込み部の中央連結部２２の上方先端から曲げられ、直線形状をなす直線部２３と、刺し込み部の中央連結部２２と前記直線部２３が連結されている側とは反対の一端側に連結されている楕円形状をなす楕円部２４と、前記楕円部２４の先端に、前記楕円部２４から先鋭に先細りし、ピン形状をなす先端部２５とからなる。また、前記直線部２３と前記楕円部２４の連結部は台座部２１方向に若干湾曲したタブ部２６を形成している。タブ部２６は、指で押さえる箇所で、このタブ部２６を利用して所定方向に押し込みやすくする。
【００２０】
前記刺し込み部の中央連結部２２は、留め具台座部２１の表面中心から垂直上方に配される。前記身飾品の留め具１０が素材３に止着された場合、素材３（衣類等）の挿通孔に挿通したままの状態になり、従来の糸の役割を担うため、前記刺し込み部の中央連結部２２は前記身飾品の留め具１０がぐらつかず、かつ前記身飾品１にボタンホールをかけることができる長さとする。
前記刺し込み部上部２ａは、留め具台座部２１と前記刺し込み部上部２ａで前記素材３（衣類等）を挟み込んで止着するための部材であり、かつ、身飾品１を係止、位置決めするための部材である。
前記刺し込み部上部２ａは、前記直線部２３と前記楕円部２４と前記先端部２５からなり、前期直線部２３、前記楕円部２４は、前記身飾品１を位置決めされて係止する。
また、前記楕円部２４は、素材３（衣類等）に前記先端部２５を刺し通す際に、前記先端部２５を素材３（衣類等）の表面垂直に露出することなく、安全に刺し通すための部材でもある。
前記先端部２５は、前記素材３（衣類等）に最小限サイズの孔をあけ、前記刺し込み部の中央連結部２２、前記直線部２３、前記楕円部２４を前記素材３（衣類等）に通すための部材であり、前記楕円部２４から先鋭に先細りし、ピン形状をなす。
前記留め具台座部２１、前記刺し込み部の中央連結部２２、前記直線部２３、前記楕円部２４、前記先端部２５は弾性体からなり、鋼、りん青銅、ベリリウム銅、ゴム、合成樹脂、形状記憶合金、ピアノ線等、力を入れると変形し、力を抜くと元に戻る弾性変形の性質を有しながら、かつ布地や革地などのボタンをつける素材３を貫通する強度を有し、ボタンをつける素材３と一緒に洗濯した場合でも、腐食、変色、劣化に強い素材が用いられる。
また、前記留め具台座部２１、前記刺し込み部の中央連結部２２、前記直線部２３、前記楕円部２４、前記先端部２５は同じ素材でも、異なる素材でもよく、例えば、異なる素材であれば、前記先端部２５は前記素材を貫通する強度に優れた素材で、前記留め具台座部２１、前記刺し込み部の中央連結部２２、前記直線部２３と、前記楕円部２４は、水や洗剤のような化学物質による劣化に強い素材であってもよい。
【００２１】
図３は、本考案の第１の実施形態の身飾品１を示す図であり、図３（ａ）は身飾品１を示す斜視図であり、（ｂ）は身飾品１を下から見た底面図であり、（ｃ）は（ｂ）のＡ−Ａ、Ｂ−Ｂ断面図である。
身飾品１の表面１１は、衣類等のボタンの表面にあたる。前記身飾品１の素材は、水牛、ナット、貝、木、革、プラスチック、金属等の素材で、形状は上記実施例の円形のほか、楕円型、ハート型、星型、正方形型等、ボタンの用途によって種々選択可能である。
またブローチやバッチ、アクセサリー等に使用できるような宝石や彫金等による装飾がほどこされていてもよい。
【００２２】
前記身飾品１の底面１２には、楕円形状の係止用凹部１３が設けられている。
楕円形状の係止用凹部１３は、前記刺し込み上部の楕円部２４を係止する部材である。
また、楕円形状の係止用凹部１３の楕円短軸側の内壁の間隔Ｖ（図３（ｂ）（ｃ））は、前記楕円部２４を平面視した場合の短軸径ｒ１（図２（ｂ））よりも小さくなるように配されている。よって、前記楕円部２４が楕円形状の係止用凹部１３に挿入される際に、前記楕円部２４が弾性変形して係合され、楕円形状の係止用凹部１３の内壁面を押圧することで楕円部２４と楕円形状の係止用凹部１３が固定される。
【００２３】
本考案の第１の実施形態の身飾品の留め具１０を使用する場合を図を用いて説明する。図４は、本考案の上記実施形態のボタンをつける素材３（衣類等）に台座部２を取り付ける状態を示す平面図であり、（ａ）は先端部２５を素材３に刺し込んだ状態を示す平面図であり、（ｂ）は楕円部２４が素材３の表面に出てきた状態を示す平面図であり、（ｃ）は台座部２を素材３に取り付けた後の状態を示す平面図である。
【００２４】
図４に示すように、最初にボタンをつける素材３（衣類等）の裏面から前記台座部２の前記先端部２５を刺し通し、前記先端部２５を前記素材３の表面まで挿通する（図４（ａ））。その後、図４（ａ）の矢印で示されるように、前記留め具台座部２１等を持ち、前記台座部２を回転させ、前記楕円部２４を前記素材３の表面に挿通していく。最後に、図４（ｂ）の矢印で示されるように、前記直線部２３を前記素材３の表面に挿通し、前記台座部２を前記素材３に取り付ける。
素材３に取り付けられた前記台座部２は、前記素材３の裏面に前記留め具台座部２１が配され、かつ前記刺し込み部上部２ａが前記素材３の表面に配されるため、前記台座部２は前記素材３に止着される。また、前記刺し込み部の中央連結部２２は前記素材３の挿通孔に挿通したままの状態となる。
このように、台座部２の前記素材３への止着作業は、前記先端部２５を回転して挿通、止着するため、前記先端部２５が素材３の表面に垂直に露出せず、安全、かつ簡単に行うことができる。
また、前記台座部２を取り外す場合は、前記留め具台座部２１等を持ち、前記台座部２を止着する場合とは反対に回転させ、前記刺し込み部上部２ａ、前記刺し込み部の中央連結部２２を前記素材３から取り外せば、安全、かつ簡単に台座部２を着脱することができる。
よって、使用者の好みによって時間、場所を選ばず、衣類等の適当な箇所に取り付け、取り外しが可能となる。
【００２５】
次に、台座部２に身飾品１を取り付ける場合を図５を用いて説明する。図５は、本考案の実施形態の台座部２に身飾品１を取り付ける状態を下から見た底面図であり、（ａ）は台座部２に身飾品１を取り付ける前の状態を示す底面図であり、（ｂ）は台座部２に身飾品１を取り付ける途中の状態を示す底面図であり、（ｃ）は台座部２に身飾品１を取り付けた後の状態を示す底面図である。ここで、図５は説明の便宜上、ボタンをつける素材３（衣類等）は省略し、図示していない。また、留め具台座部２１は外周のみを描き内部を透視して示している。
前記ボタンをつける素材３（衣類等）に前記台座部２を取り付けた後、前記身飾品１を前記台座部２にスライドして、固定する（図５（ａ）（ｂ））。
まず、第１の取付け方法を説明する。
前記身飾品１を前記台座部２に対して図５（ａ）の矢印方向にスライドすると、楕円形状の係止用凹部１３の図面で示す下半分の楕円形内壁と前記楕円部２４の下半分の楕円形が当接する。そのまま前記身飾品１をスライドしていくと（刺し込み部の楕円短軸方向でも楕円長軸方向でも良い）、前記楕円部２４の下半分の楕円形部分が前記楕円形状の係止用凹部１３の下半分の楕円形内壁により押圧されるため、弾性変形により楕円部２４の短径方向の収縮変形が発生する。前記楕円部２４の短軸径ｒ（図２（ｂ））が楕円形状の係止用凹部１３の楕円短軸側の内壁の間隔Ｖ（図３（ｂ）（ｃ））と一致すると、楕円部２４が凹部１３に完全に埋設係合し、前記身飾品１は、台座部２に対して固定される（図５（ｃ））。
このように、本考案の実施形態の身飾品の留め具１０は、前記係止用凹部１３の内壁全面を前記楕円部２４全体が押圧して前記台座部２と前記身飾品１を固定しているため、台座部２は外れ難い。
また、係止用凹部１３および刺し込み部上部２ａが楕円形状で係合しているため身飾品１と台座部２の位置決め精度が高い。例えば、図２（ｂ）に示すように、台座部２において留め具台座部２１の円中心と刺し込み部楕円部２４の中心が一致しており、かつ身飾品１の係止用凹部１３の楕円の中心が身飾品１の中心と一致しておれば、台座部２の中心の位置に身飾品１の中心を一致させて取り付けることが可能である。また、身飾品１の表面１１に模様等方向性のあるデザインが施されている場合、前記デザインの方向と一致させて身飾品の係止用凹部１３を形成することで方向を一致させることが可能となる。複数の身飾品を取り付ける場合に、デザインの方向を一致させるのに好適である。
そして、前記楕円部２４、前記直線部２３、前記先端部２５の弾性力によって固定しているため、複雑な係止用部材を使用する必要がなく、前記身飾品の留め具１０を製造する際の部品点数が少なく簡単、かつ安価に製造することができる。
【００２６】
前記身飾品１を取り外す場合には、前記身飾品１の上端を浮かしながら留め具２のタブ部２６を保持しながら、取り付ける場合と反対の方向にスライドさせると（刺し込み部の楕円長軸方向又は楕円短軸方向でも良い）、簡単に取り外すことができる。前記身飾品１を取り外した場合は、前記楕円部２４、前記直線部２３、前記先端部２５は前記係止用凹部１３による応力が取り除かれ、元の状態の形に戻る。
前記身飾品の留め具１０の部材が、前記身飾品１と前記台座部２の２つであり、部品点数が少ないため、前記身飾品１の取り付け、取外し作業が簡単で、かつ製造コストを抑えることができる。
また、身飾品１の着脱作業が簡単であるため、１つの台座部２に対して複数種類の身飾品１を取り替えることが可能で、自由自在に取り替えることができる。
【００２７】
次に、第２の取付け方法を図６（ａ）（ｂ）（ｃ）を用いて説明する。
前記身飾品１を前記台座部２に対して図６（ａ）の矢印方向にスライドすると、楕円形状の係止用凹部１３の図面で示す左半分の楕円形内壁と前記楕円部２４の左半分の楕円形が当接する。そのまま前記身飾品１をスライドしていくと、前記楕円部２４の左半分の楕円形部分が前記楕円形状の係止用凹部１３の左半分の楕円形内壁により押圧されるため、弾性変形により楕円部２４の短径方向の収縮変形が発生する。前記楕円部２４の短軸径ｒ（図２（ｂ））が楕円形状の係止用凹部１３の楕円短軸側の内壁の間隔Ｖ（図３（ｂ）（ｃ））と一致すると、楕円部２４が凹部１３に完全に埋設係合し、前記身飾品１は、台座部２に対して固定される（図６（ｃ））。
台座部２に身飾品１を取り付ける方法は、上記第１および第２の方法がとり得るが、身飾品の素材（衣服等）への取り付け位置等を勘案して適宜選択する。
【００２８】
（第２の実施形態）
図７は本考案の第２の実施形態の台座部５を示す図であり、図７（ａ）は斜視図、（ｂ）は上から見た平面図である。ここで、第１の実施形態と同一の符号は、同じ機能を表しており、その説明を省略する。第１の実施形態の台座部２との相違点は、刺し込み部上部２ａの楕円部２４が楕円全周に形成されず、直線部２３を始点として時計回りに２７０度の位置で終端となり、先端部２５となっていることである。
図８は第３の実施形態の他の例を示す図であり、図８（ａ）は身飾品４を示す斜視図であり、（ｂ）は身飾品４を下から見た底面図であり、（ｃ）は（ｂ）のＡ−Ａ，Ｂ―Ｂ、Ｃ−Ｃ断面図である。第１の実施形態の身飾品１との相違点は、係止用凹部１３の楕円形状の内部に半長軸と半短軸と楕円外周に囲まれた島形係止部１４および半長軸と半短軸に囲まれた突出部１５を有していることである。
本実施形態においても、台座部５は第１の実施形態と同様に、素材３に取り付けられる。（図４）説明は省略する。
【００２９】
次に、台座部５に身飾品４を取り付ける場合を図９を用いて説明する。図９は、本考案の第２の実施形態の台座部５に身飾品４を取り付ける状態を下から見た底面図であり、（ａ）は台座部５に身飾品４を取り付ける前の状態を示す底面図であり、（ｂ）（ｃ）は台座部５に身飾品４を取り付ける途中の状態を示す底面図であり、（ｄ）は台座部５に身飾品４を取り付けた後の状態を示す底面図である。ここで、図９は説明の便宜上、ボタンをつける素材３（衣類等）は省略し、図示していない。
前記ボタンをつける素材３（衣類等）に前記台座部５を取り付けた後、前記身飾品４を前記台座部５にスライドして、固定する（図９（ａ）〜（ｄ））。
前記身飾品４を前記台座部５に対して図９（ａ）の矢印方向にスライドすると、楕円形状の係止用凹部１３の図面で示す下左半分の楕円形内壁と前記楕円部２４の下左半分の楕円形が当接する。そのまま前記身飾品４をスライドしていくと、前記楕円部２４の下左半分の楕円形部分が前記楕円形状の係止用凹部１３の下左半分の楕円形内壁により押圧されるため、弾性変形により楕円部２４の短径方向の収縮変形が発生する。前記楕円部２４の短軸径ｒ（図７（ｂ））が楕円形状の係止用凹部１３の楕円短軸側の内壁の間隔Ｖ（図９（ｂ）（ｃ））と一致すると、楕円部２４が凹部１３に埋設する。しかしながら、直線部２３は楕円部２４が凹部１３に埋設したことによる応力を受けるため、楕円部２４との連結点を始点として図面下方向に傾斜し、島形の係止部１４と突起部１５の間の凹部には埋設しない（図９（ｃ））。この時点で、身飾品４を前記スライド方向とは逆の方向に若干戻すことにより（図９（ｃ）の矢印）、前記直線部２３を島形の係止部１４と突起部１５の間の凹部に完全に埋設させる。これにより前記身飾品４は、台座部５に対して固定される（図９（ｄ））。
このように、本考案の身飾品の留め具１０は、前記係止用凹部１３の内壁を前記楕円部２４が押圧し、直線部２３が島形係止部１４と突起部１５の間の凹部１３に埋設し、直線部２３が突起部１５の内壁を押圧し、前記台座部５と前記身飾品４を固定しているため、台座部５は外れ難い。
また、第１の実施形態と同様、係止用凹部１３および刺し込み部上部２ａが楕円形状で係合しているため身飾品４と台座部５の位置決め精度が高い。さらに、直線部２３を島形係止部１４および突起部１５で挟み込んだ構造のため、台座部５の中心位置が完全に固定される。よって、本第２の実施形態の位置合せ精度は、第１の実施形態よりさらに精度の高いものが得られる利点がある。
【００３０】
（第４の実施形態）
図１０は本考案の第４の実施形態の身飾品６を示す図であり、（ａ）は身飾品６を示す斜視図であり、（ｂ）は身飾品６を下から見た底面図であり、（ｃ）は（ｂ）のＡ−Ａ，Ｂ―Ｂ断面図である。ここで、第１、第２の実施形態と同一の符号は、同じ機能を表しており、その説明を省略する。第２の実施形態の身飾品４との相違点は、係止用凹部１３の楕円形状の内部に、ハート形状の島形係止部１４が設けられ、ハート型の中心の溝１４ａが前記身飾品の係止用凹部１４の楕円形状の中心部Ｏに一致する。ハート形状の島形係止部１４であると、中心が定まるが、着脱操作が容易になり、抜け難く、はずしやすくなる利点がある。
また、ハート型島形係止部１４の中心線（図１０のＡ−Ａ線）から図面上半分の領域に庇し部付きの凹部が設けられている（図１０（ｃ）Ｂ−Ｂ断面図）。
本実施形態においては、第１の実施形態と同一の台座部２を用い、素材３に取り付けられる。（図４）説明は省略する。
【００３１】
次に、台座部２に身飾品６を取り付ける場合を図１１を用いて説明する。図１１は、本考案の第１の実施形態と同一の台座部２に身飾品６を取り付ける状態を下から見た底面図であり、（ａ）は台座部２に身飾品６を取り付ける途中の状態を示す底面図であり、（ｂ）は台座部２に身飾品６を取り付けた後の状態を示す底面図である。ここで、図１１は説明の便宜上、ボタンをつける素材３（衣類等）は省略し、図示していない。
前記ボタンをつける素材３（衣類等）に台座部２を取り付けた後、前記身飾品４を前記台座部５にスライドして、固定する（図１１（ａ）（ｂ））。
台座部２に身飾品６を取り付ける場合の手順は、前記第２の実施形態と同様であるので、説明は省略する。
本考案の第３の実施形態の身飾品６は、ハート形状の島形係止部１４が係止用凹部１３の中心に係止用凹部１３の内壁から離れて設けられており、第２の実施形態に設けられていた突起部がないため、第１の実施形態と同一の台座部２を用いることが可能であり、係止用凹部１３の楕円内壁の全周が台座部の楕円部２４と係合されている。中央の直線部２３がハート形状の島形係止部１４に設けられた庇し部付きの凹部に埋設して台座部２の中心の中央連結部２２の位置が完全に固定される。中心が定まるので高い位置合せ精度を発現できるという利点がある。
本実施形態では、島形係止部１４の形状としてハート形状を例示しているが、これに限定されるものではなく、身飾品６の中心の位置だし可能で、なおかつ、留め具２の直線部２３を固定できればよく、円形、三角形、星型、月型等、種々の形状がとり得る。
【００３２】
（第４の実施形態）
図１２は本考案の第４の実施形態の身飾品７を示す図であり、（ａ）は身飾品７を下から見た内部構造を透視した底面図であり、（ｂ）は（ａ）のＡ−Ａ，Ｂ―Ｂ断面図である。ここで、第１の実施形態と同一の符号は、同じ機能を表しており、その説明を省略する。第１の実施形態の身飾品１との相違点は、係止用凹部１３の凹部底面の端部が、凹部の上面端部よりも身飾品７の外周側に位置していることである。図１２（ｂ）の断面図に示すように、凹部１３の内壁面が身飾品７の外周側に傾斜しており、凹部上面の楕円寸法が凹部底面の楕円寸法よりも小さい。
本実施形態においては、第１の実施形態と同一の台座部２を用い、素材３に取り付けられる（図４）。また、身飾品７を台座部２に取り付ける手順も第１の実施形態と同様である（図５）。説明は省略する。
留め具２の楕円部２４が、本実施形態の身飾品７の係止用凹部１３の凹部底面に係合され、凹部上面の楕円寸法が凹部底面の楕円寸法よりも小さいため、第１の実施形態にくらべ留め具２の楕円部２４が、身飾品７の係止用凹部１３より外れ難いという特徴を有する。係止用凹部１３の上面と底面の楕円寸法の差分は、身飾品７の形状、厚み、材質等を勘案し、適宜選択する。
身飾品７を取り外す場合には、前期実施形態と同様、身飾品７の上端を浮かしながら取り付ける場合と反対の方向にスライドさせることで、簡単に取り外すことができる。
本実施形態の留め具は、コート、作業着、重量のあるアクセサリー等、身飾品の素材への取り付け強度が求められる用途に用いるのに好適である。
【００３３】
（第５の実施形態）
図１３は本考案の第５の実施形態の身飾品８を示す図であり、（ａ）は身飾品８を下から見た内部構造を透視した底面図であり、（ｂ）は（ａ）のＡ−Ａ，Ｂ―Ｂ断面図である。ここで、第１の実施形態と同一の符号は、同じ機能を表しており、その説明を省略する。第１の実施形態の身飾品１との相違点は、係止用凹部１３の凹部の上面端部に庇し部が形成されていることである。本実施形態における係止用凹部１３に形成した庇し部の作用効果は、上記第４の実施形態の凹部端面の外周側への傾斜と同様、身飾品８と留め具２との係合強度の向上であり、説明は省略する。身飾品の形状、寸法、厚み、材質、また身飾品を取り付ける素材、要求される身飾品と留め具の係合強度により、本実施形態を適用するか、あるいは、前記第４の実施形態を適用するかは適宜選択可能である。
【符号の説明】
【００３４】
１                                身飾品、
１０                              身飾品の留め具、
１１                              身飾品の表面、
１２                              身飾品の底面、
１３                              係止用凹部、
１４                              島形の係止部、
１４ａ                            ハート型の島形係止部の中心溝、
１５                              係止部（突出部）、
２                                台座部、
２ａ                              刺し込み部上部、
２１                              留め具台座部、
２２                              刺し込み部の中央連結部、
２３                              直線部、
２４                              楕円部、
２５                              先端部、
２６                              タブ部、
３                                素材、
４                                第２の実施形態の身飾品、
５                                第２の実施形態の台座部、
６                                第３の実施形態の身飾品、
７                                第４の実施形態の身飾品、
８                                第５の実施形態の身飾品、
ｒ                                楕円部短軸径、
ｒ１                              楕円部短軸方向、
ｒ２                              楕円部長軸方向、
Ｖ                                係止用凹部の短軸側の間隔
【図１】
0003204895.tif 000003
【図２】
0003204895.tif 000004
【図３】
0003204895.tif 000005
【図４】
0003204895.tif 000006
【図５】
0003204895.tif 000007
【図６】
0003204895.tif 000008
【図７】
0003204895.tif 000009
【図８】
0003204895.tif 000010
【図９】
0003204895.tif 000011
【図１０】
0003204895.tif 000012
【図１１】
0003204895.tif 000013
【図１２】
0003204895.tif 000014
【図１３】
0003204895.tif 000015